(57)【要約】【課題】コネクターの着脱作業を容易に行うことができ、板状の固定部において複数のコネクターを限られた範囲に配置できる調理機を提供する。【解決手段】調理機本体２は、板状の固定部４０及び固定部４０に取付けられた機器側第１コネクター４１ａ並びに機器側第２コネクター４１ｂを有している。固定部４０の厚み方向と直交する一方向を第１方向とし、前記厚み方向と前記第１方向とに直交する方向を第２方向とする。前記第２方向から見て、機器側第１コネクター４１ａの前記第１方向における端部と、第１解除操作部５２６ａとの間に、機器側第２コネクター４１ｂの前記第１方向における端部が位置するように構成されている。【選択図】図５
2018105574.tif 000002
【特許請求の範囲】
【請求項１】
加熱部を有する調理機本体と、
操作器とを備え、
前記調理機本体は、
板状の固定部と、
前記固定部に固定された機器側第１コネクターと、
前記固定部に固定された機器側第２コネクターとを有し、
前記操作器は、
前記調理機本体を操作するための操作部を有する操作器本体と、
第１伝送線路と、
前記第１伝送線路を介して前記操作器本体に接続され、前記機器側第１コネクターに係止により固定された状態で連結される操作器側第１コネクターと、
第２伝送線路と、
前記第２伝送線路を介して前記操作器本体に接続され、前記機器側第２コネクターに係止により固定された状態で連結される操作器側第２コネクターとを有し、
板状の前記固定部の厚み方向と直交する一方向を第１方向とし、且つ前記厚み方向と前記第１方向との両者に直交する方向を第２方向としたとき、前記操作器側第１コネクター及び前記操作器側第２コネクターの各々の長手方向は、前記第１方向と平行であり、前記操作器側第１コネクターは、
前記操作器側第１コネクターの長手方向の中間部に形成され、前記操作器側第１コネクターと前記機器側第１コネクターとの係止を解除するための第１解除操作部を有し、
前記操作器側第２コネクターは、
前記操作器側第２コネクターの長手方向の中間部に形成され、前記操作器側第２コネクターと前記機器側第２コネクターとの係止を解除するための第２解除操作部を有し、
前記第２方向から見て、前記機器側第１コネクターの前記第１方向における端部と、前記第１解除操作部との間に、前記機器側第２コネクターの前記第１方向における端部が位置するように構成されたことを特徴とする調理機。
【請求項２】
キャビネット上にカウンターが設けられたキッチンキャビネットに組み込まれる調理機であって、
前記第１方向は水平方向と平行であり、前記第２方向は鉛直方向と平行であり、
前記調理機本体は、前記カウンターに形成された貫通孔に、前記機器側第１コネクターと前記機器側第２コネクターとが前記キャビネットの内部において前記調理機本体の前方に露出した状態で設置可能であり、
前記操作器本体は前記キャビネットの前端部であって前記キャビネットに設置された前記調理機本体の前方位置に設置可能であり、
前記第１解除操作部が前記操作器側第１コネクターの下端部に形成され、前記第２解除操作部が前記操作器側第２コネクターの下端部に形成されたことを特徴とする請求項１に記載の調理機。
【発明の詳細な説明】
【技術分野】
【０００１】
本発明は調理機に関する。
【背景技術】
【０００２】
特許文献１には調理器が開示されている。この調理器の機器筐体の前板部には、複数の貫通孔が形成されており、機器筐体には複数の貫通孔を閉塞するように中継基板が取り付けられている。中継基板の前面において各貫通孔に対応する箇所には、複数の外側コネクターが実装されている。中継基板の後面には複数の外側コネクターにそれぞれ電気的に接続された複数の内側コネクターが実装されている。
【０００３】
複数の内側コネクターには、機器筐体の内部に配置された制御器にハーネスを介して接続された複数の制御器側コネクターがそれぞれ接続されている。また、複数の外側コネクターには、機器筐体の外部に配置された操作器にハーネスを介して接続された複数の操作器側コネクターがそれぞれ接続されている。これにより、操作器と制御器とは中継基板を介して電気的に接続されている。
【先行技術文献】
【特許文献】
【０００４】
【特許文献１】特開２０１２−９９６２３号公報
【発明の概要】
【発明が解決しようとする課題】
【０００５】
前述した中継基板は、前面における各貫通孔に対応する箇所に複数の外側コネクターが設けられている。ところが、このように複数の外側コネクターを中継基板における限られた範囲に設けるには、複数の外側コネクター同士を近づけた状態で配置する必要がある。しかし、複数の外側コネクター同士の位置が近いと、操作器側コネクターの外側コネクターに対する着脱を行うにあたって、他の外側コネクターに接続された操作器側コネクターが邪魔になりやすい。このため、操作器側コネクターの着脱作業がしづらくなる可能性がある。
【０００６】
本発明は前記事情に鑑みてなされたものであって、コネクターの着脱作業を容易に行うことができ、且つ複数のコネクターが固定される板状の固定部において複数のコネクターを限られた範囲に配置できる調理機を提供することを目的とする。
【課題を解決するための手段】
【０００７】
前記目的を達成するために本発明に係る一態様の調理機は、加熱部を有する調理機本体と、操作器とを備え、前記調理機本体は、板状の固定部と、前記固定部に固定された機器側第１コネクターと、前記固定部に固定された機器側第２コネクターとを有し、前記操作器は、前記調理機本体を操作するための操作部を有する操作器本体と、第１伝送線路と、前記第１伝送線路を介して前記操作器本体に接続され、前記機器側第１コネクターに係止により固定された状態で連結される操作器側第１コネクターと、第２伝送線路と、前記第２伝送線路を介して前記操作器本体に接続され、前記機器側第２コネクターに係止により固定された状態で連結される操作器側第２コネクターとを有し、板状の前記固定部の厚み方向と直交する一方向を第１方向とし、且つ前記厚み方向と前記第１方向との両者に直交する方向を第２方向としたとき、前記操作器側第１コネクター及び前記操作器側第２コネクターの各々の長手方向は、前記第１方向と平行であり、前記操作器側第１コネクターは、前記操作器側第１コネクターの長手方向の中間部に形成され、前記操作器側第１コネクターと前記機器側第１コネクターとの係止を解除するための第１解除操作部を有し、前記操作器側第２コネクターは、前記操作器側第２コネクターの長手方向の中間部に形成され、前記操作器側第２コネクターと前記機器側第２コネクターとの係止を解除するための第２解除操作部を有し、前記第２方向から見て、前記機器側第１コネクターの前記第１方向における端部と、前記第１解除操作部との間に、前記機器側第２コネクターの前記第１方向における端部が位置するように構成されたことを特徴とする。
【発明の効果】
【０００８】
本発明に係る調理機は、コネクターの着脱作業を容易に行うことができ、且つ板状の固定部において複数のコネクターを限られた範囲に配置できる。
【図面の簡単な説明】
【０００９】
【図１】図１は、本発明に係る一実施形態の調理機の斜視図である。
【図２】図２は、同上の調理機を備えたキッチンキャビネットの斜視図である。
【図３】図３は、同上のキッチンキャビネットの断面図である。
【図４】図４は、同上の調理機の調理機本体の正面図である。
【図５】図５は、同上の調理機本体の要部正面図である。
【図６】図６は、図４のＡ−Ａ線断面であって、天板の図示を省略した調理機本体の断面図である。
【図７】図７は、同上の調理機の概略図である。
【図８】図８は、同上の調理機本体の筐体に固定具を取り付けた状態を示した斜視図である。
【図９】図９は、同上の筐体と固定具の分解斜視図である。
【図１０】図１０は、同上の調理機の機器側コネクターと操作器側コネクターを示した斜視図である。
【図１１】図１１Ａは、同上の機器側コネクターに操作器側コネクターを連結した状態を示した正面図であり、図１１Ｂは、図１１ＡのＢ−Ｂ線断面図である。
【発明を実施するための形態】
【００１０】
以下に示す実施形態は、調理機に関し、詳しくは、調理機本体と操作器とが電気的に接続される調理機に関する。
【００１１】
図１に示す本実施形態の調理機１は、図２及び図３に示すように、キッチンキャビネット７に組み込まれて用いられるビルトイン式のガスこんろである。
【００１２】
（キッチンキャビネット）
キッチンキャビネット７は、例えば台所の壁に沿うように床に設置される。以下では、特に記載する場合を除き、床に設置された状態におけるキッチンキャビネット７について説明する。
【００１３】
具体的には、キッチンキャビネット７内に形成され、一方向に開口した収納空間８２の開口方向を前方と定め、前方からキッチンキャビネット７を見たときを基準して左右方向を定義して説明する。キッチンキャビネット７の利用者は、キッチンキャビネット７の前方に立ち、キッチンキャビネット７を前方から利用する。
【００１４】
キッチンキャビネット７は、調理機１に加えて、キャビネット８と、キャビネット８の上に設置されたカウンター９とを備えている。
【００１５】
キャビネット８は、床に設置されたキャビネット本体８０と、キャビネット本体８０の前方に配置された板状の閉塞体８１とを有している。
【００１６】
キャビネット本体８０は、上方及び前方が開口した箱状に形成されている。キャビネット本体８０を上方から見た形状は、左右方向に延びた矩形状である。
【００１７】
キャビネット本体８０の上には、カウンター９が設置されている。キャビネット本体８０の上面に形成された上開口部８３は、カウンター９によって覆われている。カウンター９はキッチンキャビネット７の上面を構成している。
【００１８】
キャビネット本体８０の内部には、上方がカウンター９によって覆われた収納空間８２が形成されている。収納空間８２は、キャビネット本体８０の前面に形成された前開口部８４を介して前方に開放される。
【００１９】
キャビネット本体８０の前開口部８４は、閉塞体８１によって開閉される。前開口部８４を閉塞する閉塞体８１は、例えば、収納空間８２に前方から出入可能に収納される引出しの前板によって構成される。
【００２０】
カウンター９は厚み方向が上下方向と平行で左右方向に延びた矩形板状に形成されている。カウンター９には、上下方向に貫通した、調理機設置用の貫通孔９０が形成されている。
【００２１】
（調理機本体）
調理機１は、カウンター９の貫通孔９０に設置された調理機本体２と、キャビネット８の前端部に設置された操作器５とを備えている。
【００２２】
本実施形態の調理機本体２は、図４に示すように、筐体２０と、筐体２０の上に設置された天板２１とを有している。調理機本体２の外殻は、筐体２０と天板２１とで構成されている。
【００２３】
筐体２０は、上方に開口した箱状に形成されている。筐体２０を上方から見た形状は、左右方向に延びた矩形状である。
【００２４】
筐体２０は、平面視矩形状の底板部２２と、底板部２２の前縁部、左右の側縁部及び後縁部から、それぞれ上方に突出した、前板部２３、左右の側板部２４及び後板部２６（図３参照）を有している。左右の側板部２４の前縁部同士は、前板部２３を介して繋がっており、左右の側板部２４の後縁部同士は、後板部２６を介して繋がっている。
【００２５】
筐体２０の上縁部は、前板部２３の上縁部、左右の側板部２４の各々の上縁部及び後板部２６の上縁部によって構成されている。図６に示すように、筐体２０の上面には、筐体２０の上縁部で囲まれた開口部２７が形成されている。
【００２６】
筐体２０の上縁部には、外周側に向かって突出したフランジ部２８が形成されている。
調理器１を設置する作業者は、筐体２０を図３に示すカウンター９の貫通孔９０に上方から落とし込んで、キャビネット本体８０の内部に配置する。このとき、フランジ部２８は、カウンター９の孔の周縁部上に載せられる。これにより、筐体２０はカウンター９に吊り下げられた状態で保持される。
【００２７】
筐体２０のフランジ部２８の上には、開口部２７を覆うように天板２１が設置されている。
【００２８】
調理機本体２は、被調理物を加熱するための加熱部を有している、本実施形態の加熱部は、筐体２０の内部に設置された複数のこんろバーナー２９で構成されている。図２に示すように、本実施形態の調理機本体２は、複数のこんろバーナー２９として、左右方向に並べて配置された３口のこんろバーナー２９を備えている。
【００２９】
天板２１において、複数のこんろバーナー２９に対応する箇所には、複数のバーナー用孔３２がそれぞれ形成されている。各バーナー用孔３２は天板２１を上下方向に貫通している。各こんろバーナー２９は、対応するバーナー用孔３２を通って天板２１よりも上方に突出している。
【００３０】
調理機本体２は、筐体２０内に配置された複数の電気機器をさらに有している。これら複数の電気機器は、筐体２０に設置されている。
【００３１】
本実施形態の調理機本体２は、複数の電気機器として、各こんろバーナー２９に設けられた点火プラグ（図示せず）及び温度センサー３５、各こんろバーナー２９にガスを供給するガス管（図示せず）に設けられた流量弁（図示せず）及び安全弁（図示せず）、並びに調理機本体２の運転状態等を報知するためのスピーカー３８（図４参照）を有している。
【００３２】
調理機本体２は、筐体２０内に設置された電気機器として、図４に示す回路基板３９をさらに備えている。回路基板３９に設けられた回路には、前述した各点火プラグ、各温度センサー３５、各流量弁、各安全弁及びスピーカー３８が、電気的に接続されている。回路基板３９は、前述した各点火プラグ、各温度センサー３５、各流量弁、各安全弁及びスピーカー３８を制御する制御部を構成している。
【００３３】
（操作器）
操作器５は図１に示す操作器本体５０を有している。操作器本体５０は、調理機１を操作するための操作部５３を有している。
【００３４】
本実施形態の操作器本体５０は、左右方向に長く厚み方向が上下方向と平行な矩形板状に形成されている。本実施形態の操作器本体５０は、図３に示すように、キャビネット本体８０の前端部における上部に設けられており、調理機本体２の前方に配置されている。
【００３５】
本実施形態のキャビネット８の前端部の上部には、前方に開口した収納部８５が設けられている。操作器本体５０は、収納部８５に対して前後方向に移動可能に取り付けられている。操作器本体５０は、収納部８５に収納された図３に示す収納位置と、収納部８５から前方に突出した図２に示す突出位置との間で、前後方向に移動可能である。
【００３６】
図１に示すように、本実施形態の操作部５３は、操作器本体５０の上面に設けられている。操作部５３は、操作器本体５０が図２に示す突出位置に配置されたときに、キャビネット８よりも前方に位置して露出する。
【００３７】
本実施形態の操作部５３は、図１に示すように、左右方向に並んだ複数の操作ボタン５４を有している。具体的に操作部５３は、複数の操作ボタン５４として、各こんろバーナー２９の点消火の切替えを行うための点消火ボタンと、各こんろバーナーの火力の変更を行うための火力変更ボタンとを有している。
【００３８】
（操作器と調理機本体との電気的接続）
操作器５は、図７に示す複数の伝送線路（操作器側伝送線路）５１と、これら複数の伝送線路５１を介して操作器本体５０に機械的且つ電気的に接続された複数のコネクター（電気コネクター）５２をさらに有している。
【００３９】
図５に示すように、調理機本体２は、板状の固定部４０と、固定部４０に固定された複数のコネクター４１とをさらに有している。以下、必要に応じて、図７に示す各コネクター５２を操作器側コネクター５２といい、各コネクター４１を機器側コネクター４１という。
【００４０】
複数の操作器側コネクター５２は、複数の機器側コネクター４１にそれぞれ１対１の関係で機械的且つ電気的に接続されている。これにより、操作器本体５０は、複数の伝送線路５１と複数の操作器側コネクター５２とを介して調理機本体２に電気的に接続されている。
【００４１】
作業者は、例えば、カウンター９とキャビネット８に、調理機本体２と操作器本体５０とを設置した後、複数の操作器側コネクター５２を、複数の機器側コネクター４１にそれぞれ連結することにより、操作器本体５０と調理機本体２とを電気的に接続することができる。このように操作器本体５０と調理機本体２とを電気的に接続することで、調理機本体２は操作器５によって操作可能になる。
【００４２】
複数の操作器側コネクター５２を、複数の機器側コネクター４１に連結する作業は、例えば以下のように行われる。作業者は、まず、図３に示す閉塞体８１を開いて、キャビネット本体８０の収納空間８２を前方に開放した状態にする。そして、作業者は、キャビネット本体８０の前開口部８４から収納空間８２に手を入れ、この手で図７に示す複数の操作器側コネクター５２を複数の機器側コネクター４１に連結する。
【００４３】
（固定具）
本実施形態の調理機本体２は、図８に示す固定具４２を有している。固定具４２には、図４に示すように、複数の機器側コネクター４１が固定されている。
【００４４】
図８に示すように固定具４２は左右方向に延びている。固定具４２は、例えば板金を曲げ加工して形成される。固定具４２は筐体２０の内側に配置されており、前板部２３の後方に位置している。
【００４５】
固定具４２は、左右方向に長い矩形板状で厚み方向が前後方向と平行な主板部４３と、主板部４３の上端部から後方に向かって突出した固定片部４４とを有している。主板部４３は平板状に形成されており、本実施形態ではこの主板部４３によって、複数の機器側コネクター４１が固定される固定部４０が構成されている。
【００４６】
図９に示すように、固定部４０（主板部４３）の上下の縁部には、複数の係止片部４５が形成されている。図８に示すように、複数の係止片部４５は筐体２０に係止され、固定片部４４は筐体２０にねじ止めされている。これにより、固定具４２は筐体２０に取り付けられている。
【００４７】
本実施形態の固定部４０は、筐体２０の前板部２３の後面に沿って配置されている。図９に示すように、本実施形態の前板部２３には、複数の孔４６が形成されている。具体的に前板部２３には、左右方向に並んだ３個の孔４６が、形成されている。各孔４６は前方から見て左右方向に長い矩形状に形成されており、前板部２３を前後方向に貫通している。
【００４８】
図４に示すように、複数の孔４６は、固定部４０と、固定部４０に固定された複数の機器側コネクター４１によって覆われている。このため、筐体２０の内部には、複数の孔４６を介して虫等が入り込み難い。また、各こんろバーナー２９の燃焼時には、筐体２０の外部の空気が、複数の孔４６を通って筐体２０の内側に入り難くなり、各こんろバーナー２９の良好な燃焼状態が維持されやすい。
【００４９】
固定具４２は、図８に示すように、固定部４０に繋がったスピーカー取付部４７をさらに有している。スピーカー取付部４７は、固定部４０と左右方向に並んでいる。スピーカー取付部４７には、図４に示すスピーカー３８が取り付けられている。スピーカー３８は孔４６に対応する位置に配置されている。スピーカー３８から発せられた音は、対応する孔４６を通って調理機本体２の前方に出る。
【００５０】
本実施形態の固定部４０には、図８に示す複数の嵌込孔４８が形成されている。本実施形態の固定部４０には、合計６個の嵌込孔４８が形成されている。各嵌込孔４８は固定部４０を前後方向に貫通している。各嵌込孔４８は、左右方向に長い矩形状の孔である。
【００５１】
複数の嵌込孔４８には、図４に示すように、複数の機器側コネクター４１がそれぞれ嵌め込まれている。これにより、固定部４０には嵌込孔４８と同数の機器側コネクター４１が固定されている。
【００５２】
各機器側コネクター４１は、嵌込孔４８を塞ぐように、対応する嵌込孔４８に嵌め込まれている。各機器側コネクター４１は、キャビネット８の収納空間８２（図３参照）において、対応する孔４６を介して、調理機本体２の前方に露出している。
【００５３】
（機器側伝送線路）
本実施形態の調理機本体２は、図７に示す複数の伝送線路（機器側伝送線路）４９をさらに有している。複数の機器側コネクター４１は、複数の伝送線路４９を介して回路基板３９に機械的且つ電気的に接続されている。すなわち、操作器本体５０は、複数の伝送線路５１、複数の操作器側コネクター５２、複数の機器側コネクター４１及び複数の伝送線路４９を介して、回路基板３９に電気的に接続されている。
【００５４】
各伝送線路４９は、複数の電線（図示せず）の束で構成されている。これら複数の電線は、対応する機器側コネクター４１が有する複数の端子（図示せず）に機械的且つ電気的にそれぞれ１対１の関係で接続されている。
【００５５】
（機器側コネクター）
図１０に示すように、各機器側コネクター４１は、機器側コネクター４１の外殻を構成するハウジング４１０を有している。以下、ハウジング４１０を機器側ハウジング４１０という。
【００５６】
機器側ハウジング４１０は、合成樹脂製であり、左右方向に長いブロック状に形成されている。本実施形態の機器側ハウジング４１０は、図６に示すように、固定部４０を前後方向に貫通している。前述した伝送線路４９（図７参照）は、機器側ハウジング４１０において固定部４０よりも後方に突出した部分から引き出されている。
【００５７】
図１０に示すように、機器側ハウジング４１０は機器側連結部４１１を有している。図１１Ａ及び図１１Ｂに示すように、機器側連結部４１１には、操作器側コネクター５２が着脱可能に連結されている。
【００５８】
本実施形態の機器側連結部４１１は、図６に示すように、機器側ハウジング４１０において固定部４０よりも前方に突出した部分である。機器側連結部４１１は、前板部２３の対応する孔４６から前板部２３よりも前方に突出している。
【００５９】
図１０に示すように、機器側連結部４１１の前端面には、後方に凹んだ凹部４１２が形成されている。凹部４１２は、対応する操作器側コネクター５２が嵌め込まれる部分である。
【００６０】
機器側ハウジング４１０の長手方向（左右方向）の中間部（詳しくは中心部）には、操作器側コネクター５２が係止される係止部４１３が形成されている。ここで、前記「中間部」とは、両端の間に位置する部分を意味し、中心部だけでなく、中心部からずれた部分も含む。また、以後に用いられる「中間部」は、前記「中間部」と同義である。
【００６１】
本実施形態の係止部４１３は、機器側連結部４１１の下面に形成された突起で構成されており、機器側ハウジング４１０の下端部に位置している。
【００６２】
（操作器側伝送線路）
図７に、操作器本体５０と複数の操作器側コネクター５２とを接続する複数の伝送線路５１を示す。各伝送線路５１は、複数の電線（図示せず）の束で構成されている。これら複数の電線は、対応する操作器側コネクター５２が有する複数の端子（図示せず）に機械的且つ電気的にそれぞれ１対１の関係で接続されている。
【００６３】
（操作器側コネクター）
図１０に示すように、各操作器側コネクター５２は、操作器側コネクター５２の外殻を構成するハウジング５２０を有している。以下、ハウジング５２０を、操作器側ハウジング５２０という。
【００６４】
操作器側ハウジング５２０は、合成樹脂製であり、左右方向に延びた形状を有している。操作器側ハウジング５２０は、対応する機器側コネクター４１の機器側連結部４１１に着脱可能に連結される操作器側連結部５２１を有している。本実施形態の操作器側連結部５２１は、左右方向に長く前方から見て矩形のブロック状に形成されている。
【００６５】
作業者は、機器側コネクター４１の前方に配置した操作器側コネクター５２を後方に移動させることで、操作器側連結部５２１を機器側連結部４１１の凹部４１２に差し込むことができる。これにより、操作器側コネクター５２の操作器側連結部５２１と、機器側コネクター４１の機器側連結部４１１とが連結される。
【００６６】
このように操作器側連結部５２１が機器側連結部４１１に連結された状態では、機器側コネクター４１が有する複数の端子と、操作器側コネクター５２が有する複数の端子とが接触する。これにより、機器側コネクター４１と操作器側コネクター５２とが電気的に接続される。
【００６７】
本実施形態の操作器側ハウジング５２０は、レバー部５２２をさらに有している。レバー部５２２は、操作器側連結部５２１の左右方向の中間部の下方に位置している。本実施形態のレバー部５２２は、操作器側連結部５２１の左右方向の中心部の下方に位置している。
【００６８】
レバー部５２２は前後方向に延びている。本実施形態の操作器側ハウジング５２０は、操作器側連結部５２１とレバー部５２２とを繋ぐ繋ぎ部５２３をさらに有している。レバー部５２２の前後方向の中間部は、操作器側連結部５２１の前後方向の中間部に繋ぎ部５２３を介して一体に繋がっている。
【００６９】
本実施形態では、レバー部５２２において繋ぎ部５２３よりも後方に突出した部分により、被係止部５２７が構成されている。被係止部５２７は、操作器側連結部５２１が機器側連結部４１１に連結された状態で機器側コネクター４１の係止部４１３に係止される部分である。
【００７０】
本実施形態の被係止部５２７は、操作器側ハウジング５２０の長手方向（左右方向）の中間部（詳しくは中心部）に形成されており、操作器側ハウジング５２０の下端部に位置している。
【００７１】
被係止部５２７と被係止部５２７の上方に位置する操作器側連結部５２１との間には、後方に開放された隙間５２４が形成されている。図１１Ｂに示すように、本実施形態の被係止部５２７の上面には、下方に凹んだ凹所５２５（参照）が形成されている。
【００７２】
前述したように作業者が、操作器側連結部５２１と機器側連結部４１１とを連結したとき、機器側連結部４１１における凹部４１２の下方部が隙間５２４に挿入され、凹所５２５に機器側コネクター４１の係止部４１３（突起）が嵌め込まれる。これにより、被係止部５２７は係止部４１３に係止され、操作器側コネクター５２は、操作器側連結部５２１が機器側連結部４１１に連結された状態で、機器側コネクター４１に対して固定（ロック）される。
【００７３】
本実施形態では、図１０に示すように、レバー部５２２において繋ぎ部５２３よりも前方に突出した部分により、被係止部５２７の係止部４１３に対する係止を解除するための解除操作部５２６が構成されている。
【００７４】
解除操作部５２６と解除操作部５２６の上方に位置する操作器側連結部５２１との間には、前方に開放された隙間５２８が形成されている。レバー部５２２は繋ぎ部５２３が変形することで、解除操作部５２６が上昇し且つ被係止部５２７が下降する方向に回転可能である。
【００７５】
操作器側ハウジング５２０が機器側コネクター４１に係止された状態において、解除操作部５２６が操作されて上昇すると、被係止部５２７が下降して凹所５２５（図１１Ｂ参照）から係止部４１３（突起）が外れる。従って、作業者は、解除操作部５２６を指等で上方に移動させることにより、操作器側コネクター５２と機器側コネクター４１との係止を解除することができる。そして、作業者は、このように操作器側コネクター５２と機器側コネクター４１との係止を解除した状態で、操作器側ハウジング５２０を前方に移動させることで、操作器側連結部５２１を凹部４１２から引き抜いて、機器側コネクター４１から操作器側コネクター５２を取り外すことができる。
【００７６】
本実施形態の解除操作部５２６は、操作器側コネクター５２の下端部に形成されている。このため、作業者は、キッチンキャビネット７の収納空間８２に手を入れて操作器側コネクター５２と機器側コネクター４１との係止を解除する際に、操作器側コネクター５２の解除操作部５２６を下方から操作することができ、解除操作部５２６を操作しやすい。
【００７７】
（機器側第１コネクター及び機器側第２コネクター）
図５に示すように、複数の機器側コネクター４１の中には、上下方向に並んだ機器側コネクター４１がある。本実施形態の調理機本体２は、上下方向に並んだ２つの機器側コネクター４１の組を２組有している。
【００７８】
以下、上下方向に並んだ２つの機器側コネクター４１のうちの一方を機器側第１コネクター４１ａといい、他方を機器側第２コネクター４１ｂという。また、機器側第１コネクター４１ａに連結される操作器側コネクター５２を操作器側第１コネクター５２ａといい、機器側第２コネクター４１ｂに連結される操作器側コネクター５２を操作器側第２コネクター５２ｂという。また、操作器側第１コネクター５２ａの解除操作部５２６を、第１解除操作部５２６ａといい、操作器側第２コネクター５２ｂの解除操作部５２６を、第２解除操作部５２６ｂという。
【００７９】
また、図７に示すように、機器側第１コネクター４１ａに接続された伝送線路４９を第１伝送線路４９ａといい、機器側第２コネクター４１ｂに接続された伝送線路４９を第２伝送線路４９ｂという。また、操作器側第１コネクター５２ａに接続された伝送線路５１を第１伝送線路５１ａといい、操作器側第２コネクター５２ｂに接続された伝送線路５１を第２伝送線路５１ｂという。
【００８０】
本実施形態の調理機１は、操作器本体５０と調理機本体２の回路基板３９とを電気的に接続する電路として、第１伝送線路５１ａ、操作器側第１コネクター５２ａ、機器側第１コネクター４１ａ及び第１伝送線路４９ａで構成された第１電路と、第２伝送線路５１ｂ、操作器側第２コネクター５２ｂ、機器側第２コネクター４１ｂ及び第２伝送線路４９ｂで構成された第２電路とを備えている。
【００８１】
図４に示すように、機器側第１コネクター４１ａと機器側第２コネクター４１ｂとは、左右方向の端部同士が上下方向に見て重なり、且つ当該左右方向の端部を除く他の部分同士が上下方向に見て重ならないように左右方向にずれて配置されている。すなわち、板状の固定部４０の厚み方向と直交する一方向である左右方向を第１方向とし、且つ、前記厚み方向と前記第１方向との両者に直交する方向である上下方向を第２方向としたとき、機器側第１コネクター４１ａと機器側第２コネクター４１ｂとは、前記第１方向における端部同士が前記第２方向に見て重なるように前記第２方向に並んでいる。
【００８２】
上記により、機器側第１コネクター４１ａに操作器側第１コネクター５２ａが連結され、且つ機器側第２コネクター４１ｂに操作器側第２コネクター５２ｂが連結された連結状態においては、図５に示すように、第１方向（左右方向）において第１解除操作部５２６ａが操作器側第２コネクター５２ｂからずれた位置に配置され、且つ第１方向において第２解除操作部５２６ｂが操作器側第１コネクター５２ａからずれた位置に配置される。すなわち、前記第２方向から見て、機器側第１コネクター４１ａの前記第１方向における端部と、前記第２方向（上下方向）に見て、第１解除操作部５２６ａが操作器側第２コネクター５２ｂと重ならず、第２解除操作部５２６ｂが操作器側第１コネクター５２ａと重ならない。すなわち、本実施形態の調理機１にあっては、機器側第１コネクター４１ａの前記第１方向における端部と、第１解除操作部５２６ａとの間に、機器側第２コネクター４１ｂの前記第１方向における端部が位置し、且つ、機器側第２コネクター４１ｂの前記第１方向における端部と、第２解除操作部５２６ｂとの間に、機器側第１コネクター４１ａの前記第１方向における端部が位置するように構成されている。ここで、機器側第１コネクター４１ａの前記第１方向における端部とは、機器側第１コネクター４１ａの前記第１方向における端を意味し、また、機器側第２コネクター４１ｂの前記第１方向における端部とは、機器側第２コネクター４１ｂの前記第１方向における端を意味する。  従って、例えば作業者が操作器側第１コネクター５２ａを機器側第１コネクター４１ａに対して着脱する際には、操作器側第１コネクター５２ａを保持する指ｆが、機器側第２コネクター４１ｂ及びこれに接続された操作器側第２コネクター５２ｂに接触し難くなり、作業者は操作器側第１コネクター５２ａを機器側第１コネクター４１ａに対して簡単に着脱することができる。同様に、操作器側第２コネクター５２ｂも、機器側第２コネクター４１ｂに対して簡単に着脱することができる。
【００８３】
（補足）
なお、本実施形態の機器側第１コネクター４１ａ及び機器側第２コネクター４１ｂの各々は、板状の固定部４０を貫通した状態で設けられているが、固定部４０を貫通しない状態で設けられてもよい。また、本実施形態の固定部４０は、固定具４２の一部で構成されているが、例えば回路基板（中継基板も含む）であってもよい。
【００８４】
また、例えば、機器側第１コネクター４１ａと機器側第２コネクター４１ｂとは、上下方向に延びた形状を有し、上下方向における端部同士が左右方向に見て重なるように左右方向に並んでもよい。この場合、第１解除操作部５２６ａは機器側第１コネクター４１ａの上下方向の中間部に形成され、第２解除操作部５２６ｂは機器側第１コネクター４１ｂの上下方向の中間部に形成される。また、上下方向において第１解除操作部５２６ａが操作器側第２コネクター５２ｂからずれた位置に配置され、上下方向において第２解除操作部５２６ｂが操作器側第１コネクター５２ａからずれた位置に配置される。
【００８５】
また、本実施形態の第１解除操作部５２６ａ及び第２解除操作部５２６ｂは、操作器側コネクター５２の下端部に形成されているが、これに限られず、例えば操作器側コネクター５２の上端部に形成されてもよい。
【００８６】
また、本実施形態の調理機本体２は、機器側第１コネクター４１ａと機器側第２コネクター４１ｂとの組を２組有しているが、１組だけ有してもよいし、３組以上有してもよい。
【００８７】
また、閉塞体８１は、キャビネット本体８０に回転可能に連結された扉等によって構成されてもよい。また、調理機１は、ガスコンロに限らず、抵抗線を有する電気焜炉や、電磁誘導加熱調理機等であってもよい。
【００８８】
また、この他、本実施形態のキッチンキャビネット７及び調理機１は、適宜設計変更可能である。
【００８９】
（効果）
以上説明した本実施形態の調理機１は、以下に示す特徴を有している。調理機１は、加熱部を有する調理機本体２と、操作器５とを備えている。調理機本体２は、板状の固定部４０と、固定部４０に固定された機器側第１コネクター４１ａと、固定部４０に固定された機器側第２コネクター４１ｂとを有している。操作器５は、操作器本体５０、第１伝送線路５１ａ、操作器側第１コネクター５２ａ、第２伝送線路５１ｂ及び操作器側第２コネクター５２ｂを有している。操作器本体５０は、調理機本体２を操作するための操作部５３を有している。操作器側第１コネクター５２ａは、第１伝送線路５１ａを介して操作器本体５０に接続され、機器側第１コネクター４１ａに係止により固定された状態で連結される。操作器側第２コネクター５２ｂは、第２伝送線路５１ｂを介して操作器本体５０に接続され、機器側第２コネクター４１ｂに係止により固定された状態で連結される。板状の固定部４０の厚み方向と直交する一方向を第１方向とし、且つ前記厚み方向と前記第１方向との両者に直交する方向を第２方向とする。操作器側第１コネクター５２ａ及び操作器側第２コネクター５２ｂの各々の長手方向は、前記第１方向と平行である。操作器側第１コネクター５２ａは、操作器側第１コネクター５２ａの長手方向の中間部に形成され、操作器側第１コネクター５２ａと機器側第１コネクター４１ａとの係止を解除するための第１解除操作部５２６ａを有している。操作器側第２コネクター５２ｂは、操作器側第２コネクター５２ｂの長手方向の中間部に形成され、操作器側第２コネクター５２ｂと機器側第２コネクター４１ｂとの係止を解除するための第２解除操作部５２６ｂを有している。前記第２方向から見て、機器側第１コネクター４１ａの前記第１方向における端部と、第１解除操作部５２６ａとの間に、機器側第２コネクター５２ｂの前記第１方向における端部が位置するように構成されている。以下、この特徴を有する調理機１を、第１の態様の調理機１という。
【００９０】
第１の態様の調理機１にあっては、作業者が操作器側第１コネクター５２ａを機器側第１コネクター４１ａに対して着脱する際に、機器側第２コネクター４１ｂ及びこれに接続された操作器側第２コネクター５２ｂが邪魔になり難い。このため、作業者は、操作器側第１コネクター５２ａを機器側第１コネクター４１ａに対して簡単に着脱することができる。また、作業者が操作器側第２コネクター５２ｂを機器側第２コネクター４１ｂに対して着脱する際に、機器側第１コネクター４１ａ及びこれに接続された操作器側第１コネクター５２ａが邪魔になり難い。このため、作業者は、操作器側第２コネクター５２ｂを機器側第２コネクター４１ｂに対して簡単に着脱することができる。
【００９１】
また、本実施形態の調理機１は、キャビネット８上にカウンター９が設けられたキッチンキャビネット７に組み込まれる調理機１であって、第１の態様の調理機１が有する特徴に加えて、以下に示す付加的な特徴を有している。前記第１方向は水平方向と平行であり、前記第２方向は鉛直方向と平行である。調理機本体２は、カウンター９に形成された貫通孔９０に、機器側第１コネクター４１ａと機器側第２コネクター４１ｂとがキャビネット８の内部において調理機本体２の前方に露出した状態で設置可能である。操作器本体５０はキャビネット８の前端部であってキャビネット８に設置された調理機本体２の前方位置に設置可能である。第１解除操作部５２６ａが操作器側第１コネクター５２ａの下端部に形成されている。第２解除操作部５２６ｂが操作器側第２コネクター５２ｂの下端部に形成されている。以下、この調理機１を第２の態様の調理機１という。
【００９２】
第２の態様の調理機１にあっては、第１解除操作部５２６ａが操作器側第１コネクター５２ａの下端部に形成されている。このため、作業者は、メンテナンス等を行う際、機器側第１コネクター４１ａに接続された操作器側第１コネクター５２ａを機器側第１コネクター４１ａから取り外すにあたって、キャビネット８の内部において第１解除操作部５２６ａを下方から操作して、操作器側第１コネクター５２ａと機器側第１コネクター４１ａとの係止を簡単に解除することができる。また、同様に、操作器側第２コネクター５２ｂにあっても、キャビネット８の内部において第２解除操作部５２６ｂを下方から操作して操作器側第２コネクター５２ｂと機器側第２コネクター４１ｂとの係止を簡単に解除することができる。従って、作業者は、操作器側第１コネクター５２ａ及び操作器側第２コネクター５２ｂを簡単に取り外すことができる。
【００９３】
また、本実施形態のキッチンキャビネット７は、以下に示す特徴を有している。キッチンキャビネット７は、キャビネット８と、キャビネット８上に設けられたカウンター９と、第２の態様の調理機１とを具備している。カウンター９に上下方向に貫通した貫通孔９０が形成されている。カウンター９の貫通孔９０に、調理機本体２が前記第１方向を水平方向と平行にし且つ前記第２方向を鉛直方向と平行にした状態で設置されている。機器側第１コネクター４１ａと機器側第２コネクター４１ｂとがキャビネット８の内部において調理機本体２の前方に露出している。以下、このキッチンキャビネット７を第１の態様のキッチンキャビネット７という。
【００９４】
第１の態様のキッチンキャビネット７にあっては、作業者は、操作器側第１コネクター５２ａを機器側第１コネクター４１ａに対して簡単に着脱でき、また、操作器側第２コネクター５２ｂを機器側第２コネクター４１ｂに対して簡単に着脱できる。
【符号の説明】
【００９５】
１  調理機
２  調理機本体
４０  固定部
４１ａ  機器側第１コネクター
４１ｂ  機器側第２コネクター
５  操作器
５０  操作器本体
５１ａ  第１伝送線路
５１ｂ  第２伝送線路
５２ａ  操作器側第１コネクター
５２ｂ  操作器側第２コネクター
５２６ａ  第１解除操作部
５２６ｂ  第２解除操作部
５３  操作部
７  キッチンキャビネット
８  キャビネット
９  カウンター
９０  貫通孔
【図１】
2018105574.tif 000003
【図２】
2018105574.tif 000004
【図３】
2018105574.tif 000005
【図４】
2018105574.tif 000006
【図５】
2018105574.tif 000007
【図６】
2018105574.tif 000008
【図７】
2018105574.tif 000009
【図８】
2018105574.tif 000010
【図９】
2018105574.tif 000011
【図１０】
2018105574.tif 000012
【図１１】
2018105574.tif 000013